(57)【要約】【課題】バックライト装置において、電極受け金具の製造コストがかかり、収納するケースを大きくしなければならないという課題があった。【解決手段】両端部の外面に外部電極が配置され、Ｕ字状またはＷ字状を含む形状を有し、同一側に電極が配置された複数の蛍光ランプ２０と、コ型またはくし型の形状を有し、複数の蛍光ランプ２０の一方の電極２ａを電気的につなぐ電極受け金具３ａと、コ型またはくし型の形状を有し、他方の電極２ｂをつなぐ電極受け金具３ｂと、複数の蛍光ランプ２０を点灯させる単一の昇圧回路１０とを備え、電極受け金具３ａと電極受け金具３ｂの一方が他方をまたぐことなく配置することを特徴とするバックライト装置であって、この構成により、電極受け金具の形状が同じものを配置し共用化を図ることができる。【選択図】図１
2008077921.tif 000002
【特許請求の範囲】
【請求項１】
両端部の外面に外部電極が配置され、Ｕ字状またはＷ字状を含む形状を有し、同一側に電極が配置された複数の蛍光ランプと、
コ型またはくし型を含む形状を有し、前記複数の蛍光ランプの一方の電極を電気的につなぐ電極受け金具Ａと、
コ型またはくし型を含む形状を有し、他方の電極をつなぐ電極受け金具Ｂと、
前記複数の蛍光ランプを点灯させる単一の昇圧回路とを備え、
前記電極受け金具Ａと前記電極受け金具Ｂの一方が他方をまたぐことなく配置することを特徴とするバックライト装置。
【請求項２】
両端部の外面に外部電極が配置され、Ｕ字状またはＷ字状を含む形状を有し、同一側に電極が配置された複数の蛍光ランプと、
前記複数の蛍光ランプの一方の電極を電気的につなぐ電極受け金具Ａと、
他方の電極をつなぐ電極受け金具Ｂと、
前記複数の蛍光ランプを点灯させる単一の昇圧回路とを備え、
前記蛍光ランプの電極位置を非対称位置に配置し、前記電極受け金具Ａと前記電極受け金具Ｂの一方が他方をまたぐことなく配置することを特徴とするバックライト装置。
【請求項３】
前記電極受け金具上Ａと前記電極受け金具Ｂとは同一の形状をしていることを特徴とした請求項１または２記載のバックライト装置。
【請求項４】
前記電極受け金具Ａ、及び前記電極受け金具Ｂの上を絶縁物質で覆うことを特徴とした請求項１から３の何れかに記載のバックライト装置。
【請求項５】
請求項１から４記載のバックライト装置を具備することを特徴とした表示装置。
【発明の詳細な説明】
【技術分野】
【０００１】
本発明は、両端部の外面に外部電極が配置された蛍光ランプを有するバックライト装置及び表示装置に関する。
【背景技術】
【０００２】
一般的に液晶表示装置などの表示装置のバックライト装置で使用されている光源は、従来ガラス管の内部に電極を備えた、冷陰極型のランプ（内部電極型ランプ）が主流である。しかしながら近年、ガラス管外部に電極を備える放電型のランプ（外部電極型ランプ又はＥＥＦＬ）が用いられたバックライト装置も見られるようになってきた。この理由として最近、液晶などの大型化、大面積化において、バックライト装置に使用されるランプの本数が増えてきている。複数のランプを用いたバックライト装置を実現する場合、従来の内部電極型ランプでは個々のランプに対して昇圧回路が必要である。これに対して外部電極型ランプでは単一の昇圧回路にて点灯させることが可能で、それにより点灯回路や配線構造が簡単になるという特徴があるからである。
【０００３】
また、液晶表示装置などの表示装置で用いられているランプはランプ管の内面へ蛍光体被膜を形成したものが用いられている。このランプ管内面へ蛍光体を塗布する製造方法上の問題により蛍光体被膜の厚みが非均一となり、それにより輝度の不均一が生じるという問題が生じる。
【０００４】
これを解決する方法として、特許文献１及び特許文献２などの技術がある。これら特許文献によると、蛍光ランプ管内面に蛍光体被膜を形成する際、ランプ管内を真空状態にするために排気を行う排気側と封止のみされた側とで蛍光体被膜の膜厚に差異が生じる。それにより輝度や色度の不均一が生じており、その解決手段として蛍光管の排気側と封止側を交互に配置することで輝度や色度の不均一の改善を行っている。
【０００５】
特許文献２では外部電極型ランプが屈曲成形されたランプを用いたバックライト装置の場合のものを示している。その概略図を図５に示す。図５では各蛍光ランプが直列に接続され一つの昇圧回路で点灯されている。しかしながら、近年では液晶装置などで用いられるバックライト装置では液晶の大型化が進み、図５に示す直列接続で点灯回路が構成されたものでは、ランプの長さが大きくなり、高輝度かつ正常に点灯させるためにはランプにかける電圧をより高電圧にする必要があるが、これはランプの特性上、高電圧にするとオゾンが発生してしまう、また、安全性の面からも現実的ではないという課題がある。
【０００６】
これを解決する方法として、図６で示す構成をしたバックライト装置が一般的に用いられている。図６では各蛍光ランプが並列に接続されて一つの昇圧回路で点灯されるものである。図６に示すバックライト装置について説明する。外部電極を有する蛍光ランプ２０が複数並んでおり、蛍光ランプ２０は屈曲成形されており同一側に電極２ａ、２ｂが配置されている。これら複数のランプの電極２ａ側は電極受け金具３ａで固定されており、電極２ｂ側は電極受け金具３ｂで固定されている。電極３ａ、３ｂが昇圧回路１０に接続されて複数のランプを並列に点灯することが可能となる。ここでランプ電極の２ａ、２ｂは蛍光管の排気側と封止側を示すものではなく、電極受け金具３ａで固定されている方の電極を２ａ、逆側を３ｂとしている。また特許文献１及び特許文献２にあるように蛍光管の封止側と排気側が交互に配置されているものとする。このように蛍光管をＵ字型に屈曲成形する、かつ封止側と排気側を逆にすることで蛍光体被膜の不均一を相殺するようにしている。
【特許文献１】特開２００３−３６７２３号公報
【特許文献２】特開２００３−３６７０３号公報
【発明の開示】
【発明が解決しようとする課題】
【０００７】
しかしながら、図６に示したバックライト装置の電極部の構成では電極受け金具３ａと３ｂを昇圧回路に接続するためには構造上、電極受け金具３ａと電極受け金具３ｂを交差させなければならず、電極受け金具３ａと電極受け金具３ｂが接触しないようにどちらか一方の電極受け金具がもう一方をまたぐような形状をした電極受け金具にしなければならない。これにより電極受け金具３ａと電極受け金具３ｂを製造するにあたり、異なる金型作製し、電極受け金具を製造しなければならず、コストがかかるという問題となる。また、構造上ランプが存在しない部分に電極が配置されているため、その分余分にケース４０を大きくしなければならない。また、電極受け金具がまたいでいる部分で電極受け金具部間での露洩電流が増大し、電力効率のロスが発生する等の問題がある。
【課題を解決するための手段】
【０００８】
この課題を解決するために本発明のバックライト装置は、両端部の外面に外部電極が配置され、Ｕ字状またはＷ字状を含む形状を有し、同一側に電極が配置された複数の蛍光ランプと、コ型またはくし型を含む形状を有し、前記複数の蛍光ランプの一方の電極を電気的につなぐ電極受け金具Ａと、コ型またはくし型を含む形状を有し、他方の電極をつなぐ電極受け金具Ｂと、前記複数の蛍光ランプを点灯させる単一の昇圧回路とを備え、前記電極受け金具Ａと前記電極受け金具Ｂの一方が他方をまたぐことなく配置することを特徴とする。
【０００９】
また、本発明のバックライト装置は、両端部の外面に外部電極が配置され、Ｕ字状またはＷ字状を含む形状を有し、同一側に電極が配置された複数の蛍光ランプと、前記複数の蛍光ランプの一方の電極を電気的につなぐ電極受け金具Ａと、他方の電極をつなぐ電極受け金具Ｂと、前記複数の蛍光ランプを点灯させる単一の昇圧回路とを備え、前記蛍光ランプの電極位置を非対称位置に配置し、前記電極受け金具Ａと前記電極受け金具Ｂの一方が他方をまたぐことなく配置することを特徴とする。
【発明の効果】
【００１０】
本発明によるバックライト装置を用いれば、電極受け金具の形状を同じにすることで電極受け金具の共有化が図れ、かつ電極受け金具を交差させることなく配置できるため、構造上の簡素化と電極部での露洩電流を防ぎ効率面でも改善が可能である。
【発明を実施するための最良の形態】
【００１１】
以下に、本発明の実施の形態について、図面を参照しながら説明する。
【００１２】
（実施の形態１）
本発明の実施の形態１について、図１を用いて説明する。
【００１３】
図１に示すバックライト装置１００において、両端部の外面に外部電極が配置され、形状がＵ字状をしており同一側に電極が配置された蛍光ランプ２０が複数本並べられており、複数の蛍光ランプ２０の片側の電極２ａは電極受け金具３ａで固定されており、もう一方の電極２ｂは電極受け金具３ｂで固定されている。電極受け金具３ａと電極受け金具３ｂは昇圧回路１０に接続され、複数の蛍光ランプを並列に点灯することが可能である。またこれら複数の蛍光ランプ２０と電極受け金具３ａと電極受け金具３ｂはケース４０の中に収納されている。ケース４０の内面には反射シートなどで開口面により効率的に光を出射できるように工夫されている。
【００１４】
以下、従来の技術と比較し、詳細な説明を行う。まず従来の実施例における電極受け金具の形状を図７に示す。従来例では、同一側に外部電極を有する複数の蛍光ランプを並列に昇圧するための回路構成を実現するため、電極受け金具３ａと電極受け金具３ｂのどちらかが一方をまたぐように配置しなければならない。図７では電極受け金具３ｂが電極受け金具３ａまたぐように配置されている。このようにどちらか一方がもう一方をまたぐような形状に成形する必要があり、製造する際に電極受け金具の金型を２種類用意する必要がある。これによりコスト面でロスが発生することになる。また、電極受け金具をまたがせなければならないので、またいでいない場合に比べて電極受け金具の重なっている部分が新たに生じ、その部分電極受け金具間で露洩電流が新たに発生し効率的にロスが生じる問題がある。
【００１５】
図２に本発明における電極受け金具３ａ、電極受け金具３ｂを示しているが電極受け金具の形状が同じもので、くし型状の形状をしたものを逆向きに配置している。実施の形態１の発明では電極受け金具の形状は同じものに限定するものではないが、ここでは電極受け金具の共用ができるという観点もふまえ、形状が同じものを使用した場合について説明する。これにより電極受け金具をまたぎ配線せずに同一側に外部電極を有する複数の蛍光ランプを並列に昇圧することが可能となる。よって、電極受け金具３ａと電極受け金具３ｂの形状が同じものを使用することが可能となり、構造上簡素化できコスト面でも削減ができる。また、電極受け金具３ａと電極受け金具３ｂのまたいでいる部分をなくすことができるので電極受け金具間での露洩電流を軽減することが可能となり効率面での改善も可能である。ここでは複数の蛍光ランプ２０をＵ字状のものを示しているが、これに限定するものではなく同一側に電極を有する外部電極型蛍光ランプであればよい。
【００１６】
（実施の形態２）
本発明の実施の形態２について、図３を用いて説明する。
【００１７】
図３に示すバックライト装置２００において、両端部の外面に外部電極が配置され、形状がＵ字状で同一側に電極が配置された蛍光ランプ２０が複数本並べられており、複数の蛍光ランプ２０の外部電極２ａと外部電極２ｂは非対称位置に配置されている。複数の蛍光ランプ２０の片側の電極２ａは電極受け金具３ａで固定されており、もう一方の電極２ｂは電極受け金具３ｂで固定されている。電極受け金具３ａと電極受け金具３ｂは昇圧回路１０に接続され複数の蛍光ランプを並列に点灯することが可能である。またこれら複数の蛍光ランプ２０と電極受け金具３ａと電極受け金具３ｂはケース４０の中に収納されている。ケース４０の内面には反射シートなどで開口面により効率的に光を出射できるように工夫されている。
【００１８】
以下、詳細な説明を行う。図３の蛍光ランプ２０は外部電極２ａと外部電極２ｂの位置をずらし、非対称な位置に電極が配置されるように蛍光ランプを成形したものである。そして、複数本の蛍光ランプの電極２ａ側を電極受け金具３ａで、もう一方の電極２ｂ側を電極受け金具３ｂで固定する。このとき電極受け金具３ａ、３ｂは蛍光ランプ２０の電極位置が非対称位置に存在するので直線状（長方形）のものを用いることが可能となる。よって電極受け金具３ａと電極受け金具３ｂが同じ形状のものを使用することが可能で、構造上簡素化することが可能となる。これによりコスト面で削減が可能となる。また電極受け金具３ａと電極受け金具３ｂをまたぎ配線をする必要がなくなるため、電極受け金具の重なっている部分での露洩電流を抑制することが可能となり、効率面での改善も可能となる。ここでは複数の蛍光ランプ２０をＵ字状のものを示しているが、これに限定するものではなく同一側に電極を有する外部電極型蛍光ランプであればよい。
【００１９】
（実施の形態３）
本発明の実施の形態３について、図４を用いて説明する。
【００２０】
本発明の実施の形態は実施の形態１および２で説明したものと同様であり、差異のみについて説明する。本発明の特徴は電極受け金具３ａと電極受け金具３ｂの上に反射シートなどの絶縁物で覆うことを特徴とする。図４に示すように電極受け金具の上に反射シート５０などの絶縁物を配置させる。図４の電極受け金具３ｂが反射シートより上に配置された場合、電極受け金具３ｂに入射されるランプからの光を効率よく反射させることができない。よって電極受け金具上に反射シートがくる構成にすることで、電極部分に入射される光も効率よく反射させ利用することが可能となる。また、バックライト装置として電極部での光の輝度ムラをなくし均一な光出射が可能となる。また絶縁物で覆うことによりランプと電極間での露洩電流を抑制することが可能となり効率面での改善が可能となる。ここでは電極受け金具３ａと電極受け金具３ｂの上に反射シートを新たに別途覆う場合でも良い。また反射シートの下に電極受け金具を配置した場合でもよい。この場合はケースと電極受け金具間での絶縁がされているものとする。
【００２１】
なお、本発明の実施の形態１から３で説明したバックライト装置を、表示装置に用いることにより、光出射の輝度断面を均一でムラをなくし、又は輝度の向上などを図ることができる。
【産業上の利用可能性】
【００２２】
本発明によるバックライト装置および表示装置を用いれば、電極受け金具の共用化が可能となり、低コストで電力効率を改善したバックライト装置として有用である。
【図面の簡単な説明】
【００２３】
【図１】本発明の実施の形態１におけるバックライト装置の構造を示す図
【図２】本発明の実施の形態１における電極周辺の構造を示す図
【図３】本発明の実施の形態２におけるバックライト装置の構造を示す図
【図４】本発明の実施の形態３における電極周辺の構造を示す図
【図５】従来のバックライト装置の構造を示す図
【図６】従来の他のバックライト装置の構造を示す図
【図７】従来のバックライト装置の電極周辺の構造を示す図
【符号の説明】
【００２４】
１０    昇圧回路
２０    蛍光ランプ
２ａ、２ｂ    電極
３ａ、３ｂ    電極受け金具
４０    ケース
５０    反射シート
【図１】
2008077921.tif 000003
【図２】
2008077921.tif 000004
【図３】
2008077921.tif 000005
【図４】
2008077921.tif 000006
【図５】
2008077921.tif 000007
【図６】
2008077921.tif 000008
【図７】
2008077921.tif 000009